(57)【要約】【課題】エアバッグを乗員側方向に直交する方向へより迅速に且つ広く膨張展開させて、乗員の着座姿勢に関わらず、乗員を前方側から広い面積で安定して緩衝支持することが可能なエアバッグを提供する。【解決手段】本発明に係るエアバッグは、ガス導入口を備えたエアバッグ本体と、エアバッグ本体内にガス導入口を覆って配されるインナー布部とを有しており、インナー布部は、第１及び第２開口端部を有し、且つ、インナー布部の位置をエアバッグ本体のガス導入口に対応させて、エアバッグ本体のガス導入口周縁部に固定されていることに特徴を有する。【選択図】図４
2015067217.tif 000002
【特許請求の範囲】
【請求項１】
膨張用ガスのガス導入口を備えたエアバッグ本体と、前記エアバッグ本体内に前記ガス導入口を覆って取着固定されるインナー布部とを有し、前記膨張用ガスにより前記エアバッグ本体が膨張展開するエアバッグであって、
前記インナー布部は、長さ方向の一端がガス流出口として開口した第１開口端部と、長さ方向の他端がガス流出口として開口した第２開口端部とを有し、
前記インナー布部の取着固定部は、前記インナー布部の位置を前記エアバッグ本体の前記ガス導入口に対応させて、前記エアバッグ本体のガス導入口周縁部に固定され、
前記インナー布部の前記第１開口端部及び前記第２開口端部は、前記エアバッグ本体を構成する基布に挟まれた状態で前記エアバッグ本体とともに所定の手順で折り畳まれてなる、
ことを特徴とするエアバック。
【請求項２】
前記インナー布部は、前記第１開口端部及び前記第２開口端部が上下方向を向くように配されてなる請求項１記載のエアバッグ。
【請求項３】
前記エアバッグは、前記エアバッグ本体を左右方向に沿った折り目にて前記インナー布部の前記第１開口端部及び前記第２開口端部を巻き込みながら上下方向に向けて折り畳まれて形成される第１巻体部と、前記第１巻体部の形成後に前記エアバッグ本体を上下方向に沿った折り目にて左右方向に向けて折り畳まれて形成される第２巻体部とを有してなる請求項２記載のエアバッグ。
【請求項４】
前記インナー布部は、１枚の矩形状の基布を用いて、同基布の相対する二辺の端縁部を重ね合わせ、その重ね合わせた前記端縁部同士を接合することによって筒状に構成され、
前記インナー布部の前記端縁部間の接合は、前記エアバッグの膨張展開中に破断可能な強度を有してなる、
請求項１〜３のいずれかに記載のエアバック。
【請求項５】
請求項１〜４のいずれかに記載のエアバックと、膨張用ガスを発生させるインフレータと、前記インフレータ及び前記エアバッグを保持するリテーナとを備え、
前記膨張用ガスが、前記インナー布部内に供給され、前記インナー布部の前記第１及び第２開口端部の前記ガス流出口を介して前記エアバッグ本体内に流入することにより、前記エアバッグ本体が膨張展開する、
ことを特徴とするエアバッグ装置。
【発明の詳細な説明】
【技術分野】
【０００１】
本発明は、エアバッグに供給される膨張用ガスの流れを制御し、乗員がインストルメントパネル（以下、インパネと略記する）に接近して着座しているような場合でも、乗員の顎下にエアバッグが入り込むこと等を防止し、乗員を安全に緩衝支持することのできるエアバッグ及び該エアバッグを備えたエアバッグ装置に関する。
【背景技術】
【０００２】
現在、自動車等の車両が衝突した際に乗員を保護する安全装置として、エアバッグ装置が運転席や助手席等に装備されている。このエアバッグ装置は、一般に、車両が衝突して大きな衝撃を受けたときにその衝撃を感知し、インフレータから高圧ガスを発生させてエアバッグ内に導入することにより、エアバッグを瞬時に展開膨張させる。これにより、乗員をエアバッグで緩衝支持して、人体に加わる衝撃力を大幅に緩和できるため、衝突時の乗員の安全が確保される。
【０００３】
従来、助手席用エアバッグ装置において、エアバッグは、インパネの内部に配置されたケース内に折り畳まれて収納され、膨張用ガスの流入時にインパネの上面側の開口から突出して、車両後方側へ展開膨張するように配されている。
【０００４】
そこで、この種のエアバッグ装置では、エアバッグの折り畳み形状を考慮すること（特許第４４６５８７３号公報（特許文献１）を参照）や、エアバッグ内に整流布を配置させること（特開平１１−２７８１９２号公報（特許文献２）を参照）等により、乗員側の壁部を、エアバッグの展開膨張完了前から、極力、エアバッグが乗員に向かう方向（例えば車両後方であり、以下、この方向を乗員側方向と言う）に直交する方向に沿わせた広い面を確保しつつ、乗員側の壁部の各部分における展開膨張完了前の移動を抑えた状態で車両後方側へ移動させるようにエアバッグを展開膨張させることが行われていた。
【先行技術文献】
【特許文献】
【０００５】
【特許文献１】特許第４４６５８７３号公報
【特許文献２】特開平１１−２７８１９２号公報
【発明の概要】
【発明が解決しようとする課題】
【０００６】
しかし、エアバッグを先に上下方向に折り畳み（横折りし）、その後で左右方向に折り畳む（縦折りする）ような特許文献１のエアバッグ装置や、エアバッグの内側に整流布を設けて、エアバッグ内に噴出された高温、高圧ガスを整流布によりエアバッグの上下方向へ分岐させるようにした特許文献２のエアバッグ装置では、エアバッグが膨張展開する際に、乗員の姿勢にかかわらず、乗員を適切に保護するために、インパネの配置や形態などを含めた車両前席周りのレイアウトを工夫したり、また、特別な制御装置や特別な構造を採用したりする必要があった。
【０００７】
その結果、車両のデザインや各種部品の配置が制限され、設計の自由度の低下を招くことや、製造コストの増大を招くことがあった。このため、より簡単な構造で、エアバッグを乗員側方向に直交する方向へより迅速に膨張展開できるようにするエアバッグ装置を開発することが望まれていた。
【０００８】
そこで、本発明は、特別な制御装置などを用いることなく、簡単な構造をもって、エア
バッグを乗員側方向に直交する方向へより迅速に且つ広く膨張展開させて、乗員の着座姿勢に関わらず、乗員を前方側から広い面積で安定して緩衝支持することが可能なエアバッグ及びエアバッグ装置を提供することにある。
【課題を解決するための手段】
【０００９】
上記の課題を解決するために、本発明により提供されるエアバッグは、基本的な構成として、膨張用ガスのガス導入口を備えたエアバッグ本体と、前記エアバッグ本体内に前記ガス導入口を覆って取着固定されるインナー布部とを有し、前記膨張用ガスにより前記エアバッグ本体が膨張展開するエアバッグであって、前記インナー布部は、長さ方向の一端がガス流出口として開口した第１開口端部と、長さ方向の他端がガス流出口として開口した第２開口端部とを有し、前記インナー布部の取着固定部は、前記インナー布部の位置を前記エアバッグ本体の前記ガス導入口に対応させて、前記エアバッグ本体のガス導入口周縁部に固定され、前記インナー布部の前記第１開口端部及び前記第２開口端部は、前記エアバッグ本体を構成する基布に挟まれた状態で前記エアバッグ本体とともに所定の手順で折り畳まれてなることを最も主要な特徴とするものである。
【００１０】
また、本発明のエアバッグにおいて、前記インナー布部は、前記第１開口端部及び前記第２開口端部が上下方向を向くように配されていることが好ましい。
【００１１】
この場合、前記エアバッグは、前記エアバッグ本体を左右方向に沿った折り目にて前記インナー布部の前記第１開口端部及び前記第２開口端部を巻き込みながら上下方向に向けて折り畳まれて形成される第１巻体部と、前記第１巻体部の形成後に前記エアバッグ本体を上下方向に沿った折り目にて左右方向に向けて折り畳まれて形成される第２巻体部とを有していることが好ましい。
【００１２】
更に、本発明のエアバッグにおいて、前記インナー布部は、１枚の矩形状の基布を用いて、同基布の相対する二辺の端縁部を重ね合わせ、その重ね合わせた前記端縁部同士を接合することによって筒状に構成され、前記インナー布部の前記端縁部間の接合は、前記エアバッグの膨張展開中に破断可能な強度を有していることが好ましい。
【００１３】
そして、本発明によれば、上述した構成を備えるエアバックと、膨張用ガスを発生させるインフレータと、前記インフレータ及び前記エアバッグを保持するリテーナとを備え、前記膨張用ガスが、前記インナー布部内に供給され、前記インナー布部の前記第１及び第２開口端部の前記ガス流出口を介して前記エアバッグ本体内に流入することにより、前記エアバッグ本体が膨張展開することを最も主要な特徴とするエアバッグ装置が提供される。
【発明の効果】
【００１４】
本発明により提供されるエアバッグでは、複数の基布を用いて構成されたエアバッグ本体内に、エアバッグ本体のガス導入口を覆う筒状のインナー布部が取着固定されるが、この筒状のインナー布部は、インナー布部の長さ方向の両端にガス流出口が形成されており、一方のガス流出口を備えた第１開口端部と、他方のガス流出口を備えた第２開口端部と、エアバッグ本体に取着固定される第１開口端部と第２開口端部との間の領域に開口したインナー開口部とを有する。
【００１５】
また、筒状のインナー布部は、インナー開口部の位置をエアバッグ本体のガス導入口に対応させて取着固定部をエアバッグ本体のガス導入口周縁部に縫製等により固定することによってエアバッグ本体内に取り付けられている。更に、エアバッグ本体内に配されるインナー布部の第１及び第２開口端部は、エアバッグ本体が所定の手順で折り畳まれる際に、エアバッグ本体を構成する基布間に挟まれた状態でエアバッグ本体と一緒に所定の手順
で折り畳まれている。
【００１６】
このような本発明のエアバッグによれば、インフレータで発生した膨張用ガスはインナー布部を通じてエアバッグ内に供給される。この場合、先ず、インナー布部が膨張して展開するが、インナー布部の第１開口端部と第２開口端部とは上述のようにエアバッグ本体と一体に折り畳まれている。
【００１７】
このため、インナー布部が膨張することによって、インナー布部の第１及び第２開口端部の折り返しが積極的に広げられる（展開する）と同時に、その第１及び第２開口端部と一緒に折り畳まれているエアバッグ本体の折り畳み部分の折り返しも広げる（展開させる）ため、エアバッグ本体の乗員側方向に直交する方向への展開が促進され、エアバッグ本体を膨張初期の段階で乗員側方向に直交する方向へより迅速に膨張展開させることができる。
【００１８】
更に、インナー布部の第１及び第２開口端部の折り畳みが解消されると、そのインナー布部の第１及び第２開口端部に形成されたガス流出口を介して、膨張用ガスを乗員側方向に直交する方向に向けてエアバッグ本体内に噴き出すことができるため、乗員側方向に直交する方向へのエアバッグの膨張展開を更に促しながら、エアバッグを車両後方に向けて展開膨張させることができる。
【００１９】
このように、本発明のエアバッグでは、特別な制御装置などを用いることなく、簡単な構造をもって、エアバッグを乗員側方向に直交する方向へより迅速に且つ広く膨張展開させて、エアバッグの乗員側の壁部（乗員対向部）を車両後方側へ移動させることができる。これにより、乗員が例えばインパネに接近して着座したり、前傾姿勢で着座したりする場合でも、本発明のエアバッグによって乗員を前方側から広い面積をもって安定して緩衝支持して、乗員の安全を適切に確保することができる。
【００２０】
このような本発明のエアバッグにおいて、インナー布部は、第１開口端部及び第２開口端部が上下方向を向くように配されている。
なお本明細書において、前方とは、主としてエアバッグに対してインフレータが配される方向を言い、後方とは、主としてエアバッグが膨張してインパネの開口部から飛び出す方向を言う。また、乗員側方向とは、エアバッグ装置の配置や向きによるものの、本発明では、説明を判り易くするために、主に後方を意味するものとする。
【００２１】
また、「左右方向」とは、上述した前後方向に直交する方向であって、車幅方向に沿った方向を言い、乗員側からエアバッグを見たときの左方及び右方をそれぞれ左方向及び右方向とする。更に、「上下方向」とは、上述した前後方向と左右方向とに直交する方向を言い、例えば車高方向に沿った方向を言う。
【００２２】
上述のようにインナー布部が第１及び第２開口端部を上下方向に向けて配されていることにより、膨張用ガスの供給によりインナー布部が膨張したときに、インナー布部から噴きだす膨張用ガスの流れを上下方向に安定して向けることができる。このため、エアバッグの上下方向への展開を積極的に促して、エアバッグを、例えば乗員に接触する前に、上下方向に迅速に膨張展開させることができる。それにより、例えば膨張展開中のエアバッグが乗員の顎下に入り込んで乗員の頭部を突き上げるといった事態が生じることを確実に防止することができる。
【００２３】
またこの場合、本発明のエアバッグは、エアバッグ本体を左右方向に沿った折り目にてインナー布部の第１開口端部及び第２開口端部を巻き込みながら上下方向に向けて折り畳まれて形成される第１巻体部と、第１巻体部の形成後にエアバッグ本体を上下方向に沿っ
た折り目にて左右方向に向けて折り畳まれて形成される第２巻体部とを有している。
【００２４】
これにより、膨張用ガスが供給されてインナー布部が展開膨張すると、インナー布部の第１及び第２開口端部の折り畳みを解消して、膨張用ガスの流れがインナー布部により上下方向に向けられると同時に、後から左右方向に向けて折り畳まれた第２巻体部の折り畳みを先に解消するようにしてエアバッグが展開する。
【００２５】
従って、エアバッグを、上述したように上下方向へ向けて迅速に膨張させるとともに、そのエアバッグの上下方向への展開よりも早く、左右方向への展開も迅速に行われるため、乗員側方向に直交する左右方向及び上下方向に開いたエアバッグによって、乗員を前方側からより広い面積で安定して緩衝支持することができる。
【００２６】
更に、本発明のエアバッグにおいて、インナー布部は、１枚の矩形状の基布を用いて、同基布の相対する二辺の端縁部を重ね合わせ、その重ね合わせた端縁部同士を接合することによって筒状に構成され、そのインナー布部の端縁部間の接合は、エアバッグの膨張展開中に破断可能な強度を有している。
【００２７】
すなわち、本発明のエアバッグにおいて、インナー布部の接合部分は、例えば、エアバッグの折り畳みが解消される段階、すなわち、エアバッグを乗員側方向に直交する方向（上下方向や左右方向）に展開させる段階では維持されて、当該インナー布部により、上述のような膨張用ガスの流れを制御でき、その後、エアバッグがある程度広く展開して乗員側方向（車両後方）に向けて膨張させる段階において、インナー布部の接合部分は、次第に増大する膨張用ガスの温度及び圧力を受けて破断するように構成されている。
【００２８】
このようにエアバッグの膨張展開途中でインナー布部の接合部分が破断することにより、エアバッグ本体に対する膨張用ガスの局部的な集中を防止できるため、エアバッグ本体に対して部分的な補強を行う必要がなくなるとともに、エアバッグの乗員側方向に向けた展開膨張を所定の挙動で円滑に行うことができる。
【００２９】
そして、本発明によれば、上述した構成を備えたエアバックと、膨張用ガスを発生させるインフレータと、インフレータ及びエアバッグを保持するリテーナとを備え、インフレータから発生する膨張用ガスが、インナー布部内に供給され、そのインナー布部の第１及び第２開口端部の前記ガス流出口を介してエアバッグ本体内に流入することにより、前記エアバッグ本体が膨張展開するエアバッグ装置が提供される。
【００３０】
このような本発明のエアバッグ装置であれば、特別な制御装置や特別な構造などを用いることなく、簡単な構造をもって、エアバッグを乗員側方向に直交する方向へより迅速に且つ広く展開させながら、乗員側方向へ向けて膨張させることができる。このため、乗員の着座姿勢に関わらず、乗員をエアバッグによって前方側から広い面積で安定して緩衝支持できるため、乗員の安全を適切に確保することができる。
【図面の簡単な説明】
【００３１】
【図１】本発明の実施形態に係るエアバッグ装置が搭載されたインパネを示す斜視図である。
【図２】同エアバッグ装置の使用態様を示す車幅方向に直交する方向の断面図である。
【図３】同エアバッグ装置のエアバッグを単体で展開膨張させた状態の斜視図である。
【図４】同エアバッグのエアバッグ本体内に配されるインナー布部を示す斜視図である。
【図５】同エアバッグを構成する部材を分解した状態で示す平面図である。
【図６】同エアバッグの折り畳み工程を説明する説明図である。
【発明を実施するための形態】
【００３２】
以下、本発明を実施するための形態について、図面を参照しながら詳細に説明する。
ここで、図１は、本実施形態に係るエアバッグ装置２０が搭載されたインパネを示す斜視図である。図２は、同エアバッグ装置２０の使用態様を示す車幅方向に直交する方向の断面図である。図３は、同エアバッグ装置２０のエアバッグを単体で展開膨張させた状態の斜視図である。また、図４は、同エアバッグのエアバッグ本体内に配されるインナー布部を示す斜視図であり、図５は、同エアバッグを構成する部材を分解した状態で示す平面図である。
【００３３】
本実施形態のエアバッグ装置２０は、図１及び図２に示すように、インパネ１の表面における上面１ａ側の内部に配置されるトップマウントタイプである。このエアバッグ装置２０は、所定の手順で折り畳まれたエアバッグ１０と、エアバッグ１０に膨張用ガスを供給するシリンダ型のインフレータ９と、エアバッグ１０及びインフレータ９を収納保持するケース４と、エアバッグ１０をケース４に取り付けるためのリテーナ７と、折り畳まれたエアバッグ１０を覆うエアバッグカバー３と、エアバッグカバー３をケース４に強固に連結するための二つの押え板８と、を備えて構成されている。
【００３４】
エアバッグ１０をケース４に取り付けるリテーナ７は、四角環状の板金製として、所定位置に下方へ延びる複数の取付ボルト７１ａを備えて構成されている。リテーナ７は、各取付ボルト７１ａをエアバッグ１０の後述する取付孔１４に挿通させるとともに、ケース４の底壁部５１ｂや押え板８の横板部８１に挿通させて、各取付ボルト７１ａにナット７１ｂを螺合させることにより、ケース４に取り付けられる。
【００３５】
インフレータ９は、ケース４の下部室６内に収納保持されている。なお本実施形態では、インフレータ９として、シリンダ型のインフレータを用いる場合を図示しているが、本発明では、略円柱形状の外形を呈するディスク型のインフレータを使用しても良い。
【００３６】
エアバッグカバー３は、オレフィン系やエステル系等の熱可塑性エラストマー等から形成されて、インパネ１の長方形状に開口する開口２を塞ぐように配置される天井壁部３１と、天井壁部３１の下面から下方へ延びる略四角筒形状の側壁部３４とを有する。
【００３７】
天井壁部３１は、側壁部３４に囲まれた内側に、周囲に薄肉の破断予定部３３を配置させて、一つの扉部３２を配設させている。この扉部３２は、展開膨張するエアバッグ１０に押されて破断予定部３３が破断した際に、その基端側の端縁部をヒンジ部として回転し、車両の前方側に開くこととなる。なお、本実施形態のエアバッグカバー３は、インパネ１と別体に形成されているが、本発明はこれに限定されず、エアバッグカバーがインパネの一部を構成するようにインパネと一体的に形成されていても良い。
【００３８】
押え板８は、横板部８１と横板部８１の端部から上方へ延びる縦板部８２とを備えた断面Ｌ字形として、ケース４の車両の前後方向の部位にそれぞれ配置されている。そして、各横板部８１には、リテーナ７の各取付ボルト７１ａを挿通させる貫通孔（図符号省略）が形成され、各縦板部８２の上端は、ケース４の係止突起４１に挿通可能に形成されている。
【００３９】
ケース４は、上方を開口させた直方体形状の上部室５と、上部室５と連通するように、ケース４の下部側に配置される下部室６とを有する。上部室５は、略四角筒形状の周壁部５１ａと、周壁部５１ａの下部に配置される底壁部５１ｂとから構成されている。底壁部５１ｂには、リテーナ７の各取付ボルト７１ａを挿通させるための貫通孔（図符号省略）が形成されている。
【００４０】
エアバッグ１０は、エアバッグ本体１０ａと、エアバッグ本体内１０ａに配されるインナー布部１９と、エアバッグ本体１０ａとインナー布部１９の間に介装される補強布（防護布や補強バッチとも呼ばれる）１７とを有する。エアバッグ本体１０ａは、後述するように前方側半部を構成する略円形状の第１基布１１の周縁部と、後方側半部を構成する第２基布１６の周縁部とを互いに縫い合わせることにより形成されており、図３に示すように、中心部分が盛り上がるように立体的に丸く膨張展開するような袋状の形態を有している。また、エアバッグ本体１０ａの内部には、エアバッグ１０内に流入する膨張用ガスの流れを変えて整流を行うインナー布部１９が取着されている。
【００４１】
また、エアバッグ本体１０ａの前方側下半部（特に、その前方側下半部における幅方向中央部の前端部）には、インフレータ９で発生した膨張用ガスをエアバッグ１０内に流入させる長方形状に開口したガス導入口１２が設けられている。本実施形態の場合、このガス導入口１２は、第１基布１１の中心部よりも少し下側の領域に設けられている。
【００４２】
また、ガス導入口１２の周縁部には、複数の取付孔１４が貫通されており、これらの取付孔１４には、リテーナ７の各取付ボルト７１ａが挿通されて、エアバッグ１０が、ケース４の底壁部５１ｂに保持されることとなる。更に、エアバッグ本体１０ａの前方側半部における左右側方側の所定位置には、余剰の膨張用ガスを排気するベントホール１５が設けられている。
【００４３】
このようなエアバッグ本体１０ａは、図４に示すように、ポリアミドやポリエステル等の糸を用いて織成された第１基布１１と第２基布１６とを縫目Ａにて縫合して製造されており、これらの第１基布１１と第２基布１６は、平面的な縫合作業によって立体的なエアバッグ１０を縫製できるように形成されている。
【００４４】
インナー布部１９は、第１基布１１と第２基布１６から構成されるエアバッグ本体１０ａ内に配され、エアバッグ本体１０ａ内に供給される膨張用ガスを所定の方向に案内する部材である。このインナー布部１９は、エアバッグ本体１０ａと同じ材質の糸を用いて織成された基布を、図３及び図４に示すように、筒状に形成して構成されており、筒体の上端部と下端部とがガス流出口として開口した上下開口端部１９ｂ，１９ｃとなっている。
【００４５】
また、この筒状のインナー布部１９では、筒体の胴体部における一部の領域がエアバッグ本体１０ａに取着固定される取着固定部（底面部）として構成されている。また、この取着固定部に対して左右の側壁部が立ち上がるとともに、左右の側壁部の先端部同士が接合されて筒状を形成している。
【００４６】
また、筒状のインナー布部１９の取着固定部における上下開口端部１９ｂ，１９ｃ間に配される領域には、インナー開口部１９ａが形成されており、このインナー布部１９は、その取着固定部（底面部）に設けたインナー開口部１９ａの位置を、エアバッグ本体１０ａの第１基布１１に設けられたガス導入口１２に対応させて、インナー布部１９のインナー開口部１９ａとエアバッグ本体１０ａのガス導入口１２とを連通させた状態でエアバッグ本体１０ａの第１基布１１に固定されて取着されている。
【００４７】
このため、インフレータ９で発生した膨張用ガスがエアバッグ１０に供給されてエアバッグ本体１０ａが膨張展開するときには、インフレータ９で発生した膨張用ガスが、エアバッグのガス導入口１２とインナー布部側面のインナー開口部１９ａとを介してインナー布部１９内に導入され、更に、インナー布部１９の上下端部の開口から、エアバッグ本体１０ａの内部に向けて噴き出される。
【００４８】
また、インナー布１９としては、図４に示すように、中央にインナー開口部１９ａを設けた一枚の布を用いて、このインナー開口部１９ａをエアバッグのガス導入口１２に合わせて取着固定した後に、左右の側壁部の先端同士を接合して形成しても良いし、また、二枚の布の一端部を、エアバッグのガス導入口１２の周囲にそれぞれ取着固定した後に、他端部を接合して形成しても良い。
【００４９】
さらに、二枚の布の一端部に、これらが接した場合にインナー開口部１９ａを形成する切り欠き部を設けておき、これらの一端部を揃え、形成されるインナー開口部１９ａをエアバッグのガス導入口１２に合わせて取着固定した後に、左右の側壁部の先端同士を接合して形成しても良い。
【００５０】
このインナー布部１９をエアバッグ本体の第１基布１１に固定する場合は、エアバッグ１０の内周面側におけるガス導入口１２周縁の取付孔１４付近に、ポリアミドやポリエステル等の糸から織成された補強布１７が配設されるため、この補強布１７を間に挟んだ状態で、インナー布部１９がエアバッグ本体１０ａの第１基布１１に縫製により固定される。
【００５１】
特に本実施形態の場合、図４に示すように、インナー布部１９は縫目Ｃで補強布１７に縫合されており、さらに、その補強布１７は縫目Ｂで第１基布１１に縫合されている。また、この補強布１７には、エアバッグ１０のガス導入口１２及びインナー布部１９のインナー開口部１９ａの形成位置に対応する位置に開口部１７ａが形成されている。
【００５２】
なお、本発明において、補強布１７をエアバッグ本体１０ａとインナー布部１９との間に配設するか否かは任意であり、上述のような補強布１７を配設しない場合には、インナー布部１９はエアバッグ本体１０ａの第１基布１１に直接縫合される。
【００５３】
また、インナー布部１９をエアバッグ本体１０ａに固定する手段も特に限定されず、例えばリテーナ７の取付ボルト７１ａをインナー布部１９及びエアバッグ本体１０ａに形成した各取付孔１４を介して挿通させることのみによって、インナー布部１９がエアバッグ本体１０ａに取り付け固定されていても良い。
【００５４】
本実施形態において、インナー布部１９は、図５に示すように、略矩形状のインナー布部素材１８の左右端縁部を重ね合わせて円筒状に縫うことにより構成されている。この場合、略矩形状のインナー布部素材１８は、中央部にインナー開口部１９ａとなる開口部１８ａをエアバッグ本体１０ａのガス導入口１２に対応するように備えるとともに、その中央部から左右方向（車幅方向）に延びる左右の帯部１８ｂ及び１８ｂ’を備えている。
【００５５】
従って、インナー布部１９は、左右の帯部１８ｂ及び１８ｂ’の先端縁部（すなわち、略矩形状のインナー布部素材１８の相対する二辺側の端縁部）を相互に重ね合わせて縫合することによって、上端及び下端が開口した円筒状に形成されており、この円筒状のインナー布部１９の筒胴体部に、ガス導入口１２に対応するインナー開口部１９ａが形成されている。
【００５６】
次に、本実施形態のエアバッグ１０を製造する方法について説明する。
先ず、図４及び図５に示すように、インナー布部素材１８を縫糸を用いて縫目Ｃで補強布１７に縫合し、更に、その補強布１７を、第１基布１１のガス導入口１２の開口周縁部に縫糸を用いて縫目Ｂで縫合する。続いて、インナー布部素材１８の左右の帯部１８ｂ及び１８ｂ’の先端縁部同士を、図４に示すように、縫糸を用いて縫い目Ｄで縫合することにより、上端部及び下端部が開口した筒状体のインナー布部１９を形成する。その後、第１基布１１に第２基布１６を重ね、縫い糸を用いて、重ね合わせた第１及び第２基布１１
，１６の外周縁部を相互に縫目Ａで縫合して、エアバッグ本体１０ａを袋状に形成する。
【００５７】
この場合、インナー布部素材１８の左右の帯部１８ｂ及び１８ｂ’の端部同士の縫合等による接合部分は、エアバッグ本体１０ａの折り畳みが解消されて膨張展開する際に、特にエアバッグ本体１０ａを上下方向及び左右方向に展開させる段階において、又はエアバッグ本体１０ａを車両後方に向けて展開膨張させる段階において破断するよう調整されている。
【００５８】
通常、膨張用ガスが発生してから、エアバッグ１０の折り畳みの解消及び鉛直方向への展開膨張が完了するまでの時間は約１５ｍｓｅｃ程度であって、この間に供給される膨張用ガスの温度及び圧力は次第に増加していく。このため、本実施形態のインナー布部１９では、膨張用ガスが発生してから所定の時間内に、膨張用ガスの温度及び圧力で破断するように、インナー布部１９の接合部分の強度（すなわち、インナー布部素材１８の帯部１８ｂ及び１８ｂ’の端部間の接合強度）が調整されている。
【００５９】
この場合、インナー布部１９の接合部分の強度は、例えば、縫合に用いる糸の強度を調整すること、縫い糸の密度を調整すること、及び帯部１８ｂ、１８ｂ’にスリットを設けること等により、所定の大きさに制御されている。
【００６０】
このように、エアバッグ１０を車両後方に向けて展開膨張させる際の所定の段階で、インナー布部１８の接合部分を破断することにより、エアバッグ本体１０ａに対する膨張用ガスの局部的な集中を防止できとともに、エアバッグ１０の車両後方に向けた展開膨張を所定の挙動で円滑に行うことができる。
【００６１】
なお、図４においては、インナー布部素材１８の左右の帯部１８ｂ及び１８ｂ’の先端縁部間の合わせ目（すなわち、インナー布部１９の接合部分）が、筒状のインナー布部１９の中心軸と平行に設けられている。
【００６２】
しかし、本発明では、インナー布部１９の接合部分の破断が上述のような適切な時期に生じる限り、インナー布部１９の接合部分は、インナー布部１９の中心軸に平行でなくても良い。例えば、インナー布部１９の位置や大きさ、インフレータ９の位置等によって、インナー布部１９の接合部分を前記中心軸に対して斜めの向きに設けても良く、また、インナー布部１９の縫目Ｄを直線状に形成するのではなく、曲線状やジグザグ状に形成することも可能である。
【００６３】
以上のような縫製を行ってエアバッグ１０が形成された後、エアバッグ本体１０ａ内にリテーナ７を収容してインナー布部１９の内部に配置するとともに、当該リテーナ７の取付ボルト７１ａをインナー布部１９、補強布１７、及びエアバッグ本体１０ａに形成した各取付孔１４を介して、エアバッグ１０の外側に突出させる。これにより、エアバッグ１０にリテーナ７が取り付けられる（言い換えると、エアバッグ１０がリテーナ７に保持される）。
【００６４】
エアバッグ１０にリテーナ７を取り付けた後、エアバッグ１０をインナー布部１９とともに所定の手順で折り畳む。ここで、エアバッグ１０の折り畳み工程について図６を用いて説明する。なお、以下に説明するエアバッグ１０の折り畳み工程は１つの例であり、本発明はこれに限定されるものではなく、その他の手順や方法を用いてエアバッグを折り畳むことも可能である。
【００６５】
図６は、第１基布１１と第２基布１６を縫合して形成されたエアバッグ１０をリテーナ７に取り付けた後、折り畳む工程を表したものであり、各折り畳み工程におけるエアバッ
ク１０の背面図及び側面図を主として示している。なお、図６には図示していないが、この実施形態においては、エアバッグ１０におけるインナー布部１９は、その上側及び下側開口端部１９ｂ，１９ｃが上下方向に向くように配置されている。
【００６６】
図６において、矢印で示す方向Ｈは車幅方向（エアバッグ１０の左右方向）を示し、また、矢印で示す方向Ｖは、高さ方向（エアバッグ１０の上下方向）を示している。なお、エアバッグ１０の背面図において、ガス導入口１２及びベントホール１５は、第２基布１６の裏側にある第１基布１１に設けられている。
【００６７】
図６（Ａ）は、リテーナ７がガス導入口１２（及びインナー布部１９のインナー開口部１９ａ）の周縁部に配されるリテーナ取付部７ａに取り付けられたエアバッグ１０を示している。エアバッグ１０は前面（正面）側に第１基布１１を有するとともに、後面（背面）側に第２基布１６を有しており、前面側の第１基布１１の上端部には、左右のベントホール１５が設けられている。
【００６８】
まず、図６の（Ａ）及び（Ｂ）に示すように、エアバッグ本体１０ａの上下方向にある端部であって、ベントホール１５を有さない側の端部（この実施形態の場合は、下端部）を、リテーナ取付部７ａの下端部に沿って内折りして、反対側の上方に向けて折り返す。このとき、エアバッグ本体１０ａ内に取着固定されたインナー布部１９の下側開口端部１９ｃも、エアバッグ本体１０ａの第１基布１１と第２基布１６の間に挟まれた状態で一緒に折り返される。続いて、エアバッグ本体１０ａの折り返した端部（下端部）を、幅方向（左右方向）に沿った折り目を形成しながら、元の方向（下方）に向けて複数回の内ロール折りで折り返す。
【００６９】
これによって、インナー布部１９の下側開口端部１９ｃがエアバッグ本体１０ａとともに折り畳まれた下側の第１巻体部が形成されて、図６（Ｃ）に示した状態となる。この場合、本実施形態では、インナー布部１９の下側開口端部１９ｃは、１回折り返された状態で、エアバッグ本体１０ａの下半部を折り畳んだ第１巻体部に一緒に折り込まれている。すなわち、インナー布部１９の下側開口端部１９ｃは、エアバッグ本体１０ａの下半部を折り畳んだ第１巻体部の最もガス導入口１２側に近い１段目の折り畳み部分に一体に折り畳まれている。
【００７０】
次に、エアバッグ１０の上下方向にあるもう一方の端部であって、ベントホール１５を有する側の端部（この実施形態の場合は、上端部）についても同様に、図６（Ｄ）に示すように、リテーナ取付部７ａの上端部に沿って内折りして、反対側の下方に向けて折り返す。このとき、エアバッグ本体１０ａ内に取着固定されたインナー布部１９の上側開口端部１９ｂも、エアバッグ本体１０ａの第１基布１１と第２基布１６の間に挟まれた状態で一緒に折り返される。
【００７１】
続いて、エアバッグ本体１０ａの折り返した端部（上端部）を、幅方向（左右方向）に沿った折り目を形成しながら、元の方向（上方）に向けて複数回の内ロール折りで折り返す。
【００７２】
これによって、インナー布部１９の上側開口端部１９ｂがエアバッグ本体１０ａとともに折り畳まれた上側の第１巻体部が形成されて、図６（Ｅ）に示した状態となる。この場合、本実施形態では、インナー布部１９の上側開口端部１９ｂは、１回折り返された状態で、エアバッグ本体１０ａの上半部を折り畳んだ第１巻体部に一緒に折り込まれている。すなわち、インナー布部１９の上側開口端部１９ｂは、エアバッグ本体１０ａの上半部を折り畳んだ第１巻体部の最もガス導入口１２側に近い１段目の折り畳み部分に一体に折り畳まれている。
【００７３】
なお本実施形態では、インナー布部１９の上側開口端部１９ｂ及び下側開口端部１９ｃは、エアバッグ本体１０ａとともに折り畳まれて、１回折り返された状態（巻体の最もガス導入口１２側に近い１段目の折り畳み部分のみに折り畳まれた状態）となっている。しかし、本発明では、例えば車両のレイアウトやエアバッグ装置の配設位置などに応じて、インナー布部１９の上側開口端部１９ｂ及び／又は下側開口端部１９ｃが、１回折り返されるだけにとどまらず、２回折り返されて、第１巻体部の最もガス導入口１２側に近い１段目の折り畳み部分と、その隣の２段目の折り畳み部分とに一体に折り畳まれていても良い。
【００７４】
次に、図６（Ｆ）に示すように、上下方向に折り畳まれて第１巻体部が形成されたエアバッグ１０の左右方向にある一方の端部（この実施形態の場合は、右端部）を、リテーナ取付部７ａの右側縁部に沿って内折りして、反対側の左方向に向けて折り返す。続いて、その折り返した右端部を、上下方向に沿った折り目を形成しながら、元の右方向に向けて複数回の内ロール折りで折り返す。これにより、右側の第２巻体部が形成される。
【００７５】
その後、エアバッグ１０の左右方向にあるもう一方の左端部についても同様に、リテーナ取付部７ａの左側縁部に沿って内折りして、反対側の右方向に向けて折り返す。続いて、その折り返した左端部を、上下方向に沿った折り目を形成しながら、元の左方向に向けて複数回の内ロール折りで折り返す。これにより、左側の第２巻体部が形成されて、図６（Ｇ）に示した状態となる。
【００７６】
更に、エアバッグ１０を上述のようにして折り畳んだ後、第１巻体部及び第２巻体部が折り崩れしないように、折り畳んだエアバッグ１０を破断可能なラッピングシート（図示を省略）で包んで固定する。そして、ラッピングシートで折り畳み状態が固定されたエアバッグ１０は、リテーナ７にインフレータ９が取り付けられ、更に、そのインフレータ９とともにケース４に収納保持されることによって、図２に示したようなエアバッグ装置２０が構成される。
【００７７】
このようにして構成された本実施形態のエアバッグ装置２０では、車両の衝突等によりインフレータ９から膨張用ガスが発生すると、先ず膨張用ガスが筒状のインナー布部１９内に供給されて、インナー布部１９を膨らませる。
【００７８】
このとき、インナー布部１９の上側開口端部１９ｂ及び下側開口端部１９ｃはエアバッグ本体１０ａとともに折り畳まれているため、その上側開口端部１９ｂ及び下側開口端部１９ｃの折り返しを戻すように、先に折り畳んだ上下の第１巻体部の折り畳みを部分的に解消しながら、インナー布部１９の上側開口端部１９ｂ及び下側開口端部１９ｃからエアバッグ本体１０ａの内部に膨張用ガスを噴き出す。これにより、エアバッグ本体１０ａは、上下の第１巻体部の折り畳みを部分的に解消しつつ、後から折り畳んだ左右の第２巻体部の折り畳みを解消するように、左右方向に膨張展開する。
【００７９】
更に、エアバッグ本体１０ａは、左右方向への膨張展開を進めながら、インナー布部１９によって膨張用ガスの流れが上下方向に向けられているため、上下の第１巻体部の折り畳みを解消するように、上下方向への膨張展開も効果的に促すことができる。
【００８０】
従って、本実施形態のエアバッグ１０では、特別な制御装置や特別な構造などを用いることなく、簡単な構造をもって、エアバッグ本体１０を乗員側方向に直交する上下左右方向に迅速に且つ広く展開させて、エアバッグを車両後方に向けて、特にフロントウインドシールドに沿わせながら車両後方に向けて、安定して膨張させることができる。
【００８１】
これにより、乗員が例えばインパネ１に接近して着座したり、前傾姿勢で着座したりする場合でも、本実施形態のエアバッグ１０を乗員側方向に直交する方向へ効率的に広くことができるため、当該エアバッグ１０によって乗員を前方側から広い面積をもって安定して緩衝支持でき、乗員の安全を適切に確保することができる。
【００８２】
特に本実施形態のエアバッグ１０は、上述のように、上下方向に向けてインナー布部１９の上側開口端部１９ｂ及び下側開口端部１９ｃを巻き込みながら折り畳んで第１巻体部を形成した後に、その第１巻体部を左右方向に向けて折り畳んで第２巻体部を形成して構成されている。このため、膨張用ガスがインナー布部１９に供給されてエアバッグ本体１０ａ内に吹き出されると、後から折り畳まれた第２巻体部の折り畳みを、第１巻体部よりも先に解消するようにしてエアバッグを展開させることができる。
【００８３】
これにより、エアバッグ１０を早く開かせることができるため、乗員側方向に直交する左右方向にも上下方向にも広く開いたエアバッグによって乗員を保護することができる。
【００８４】
その上、本実施形態のエアバッグ１０では、インナー布部１９の縫い目Ｄで縫合された接合部分が、エアバッグの膨張展開中に膨張用ガスの温度及び圧力を受けて破断可能な強度を有して形成されている。これにより、エアバッグ１０の初期段階では膨張用ガスの流れを上下方向に促してエアバッグ１０を上下方向に積極的に膨張展開させることができる。
【００８５】
また、インフレータ９から膨張用ガスが発生して所定時間経過すると、言い換えると、エアバッグ１０が所定の段階まで膨張展開すると（例えばエアバッグ１０が左右方向及び上下方向にある程度の広さまで膨張展開すると）、次第に増大する膨張用ガスの温度及び圧力によってインナー布部１９の接合部分が破断することによって、インナー布部１９による膨張用ガスの整流作用が終了する。
【００８６】
これにより、膨張展開終了までエアバッグ本体１０の一部に膨張用ガスが局部的に集中して吹き付けられることを防止できるため、エアバッグ本体１０に部分的な補強を行う必要がなくなり、製造コストを抑えることができる。更に、インナー布部１９の接合部分の破断によって、膨張用ガスをエアバッグ１０の全体に効率的に行き渡らせることができるため、エアバッグの展開膨張を所定の挙動で円滑に行うことができる。
【００８７】
なお、本発明は、上述した実施形態に何ら限定されるものではなく、本発明と実質的に同一な構成を有し、かつ、同様な作用効果を奏しさえすれば、多様な変更が可能である。例えば、図１のエアバッグ装置２０は、助手席前方のインパネ１の上面１ａの内側に配設される場合について説明しているが、本発明のエアバッグ装置２０は、必要に応じて、ステアリングホイールなどの車両のその他の部分に装備されるエアバッグ装置（例えば運転席用のエアバッグ装置）にも同様に適用することが可能である。
【符号の説明】
【００８８】
１                インストルメントパネル（インパネ）
１ａ              インパネの上面
２                開口
３                エアバッグカバー
４                ケース
５                上部室
６                下部室
７                リテーナ
７ａ              リテーナ取付部
８                押え板
９                インフレータ
１０                エアバッグ
１０ａ              エアバッグ本体
１１                第１基布
１２                ガス導入口
１４                取付孔
１５                ベントホール
１６                第２基布
１７                補強布
１７ａ              開口部
１８                インナー布部素材
１８ｂ              帯部
１８ｂ’            帯部
１９                インナー布部
１９ａ              インナー開口部
１９ｂ              上側開口端部
１９ｃ              下側開口端部
２０                エアバッグ装置
３１                天井壁部
３２                扉部
３３                破断予定部
３４                側壁部
４１                係止突起
５１ａ              周壁部
５１ｂ              底壁部
７１ａ              取付ボルト
７１ｂ              ナット
８１                横板部
８２                縦板部
Ａ〜Ｄ              縫目
【図１】
2015067217.tif 000003
【図２】
2015067217.tif 000004
【図３】
2015067217.tif 000005
【図４】
2015067217.tif 000006
【図５】
2015067217.tif 000007
【図６】
2015067217.tif 000008